(57)【要約】      （修正有）【課題】絵柄の正の意味を表す正表示部と絵柄の逆の意味を表す逆表示部を見やすい位置に配置して読み取り易く、表示部の文字情報を横書きにして、横書き文化圏の国でも採用し易くしたタロットカードを提供する。【解決手段】タロットカード１は、矩形状に形成したカード本体２の一方の面に占い情報３が形成されている。カード本体２は、長手方向が上下方向になっている。占い情報３は、占いの内容を表示する絵柄５と、絵柄５の正の意味を表す正表示部６と、絵柄５の逆の意味を表す逆表示部７とからなる。絵柄５は、カード本体２の略中央に表示されている。正表示部６は、絵柄５の下部に位置しており、正の意味を表す文字情報６ｂが左横書きで表示されている。逆表示部７は、絵柄５の上部に位置しており、逆の意味を表す文字情報７ｂが逆さまに右横書きで表示されている。【選択図】図１
0003195664.tif 000002
【実用新案登録請求の範囲】
【請求項１】
矩形状に形成したカード本体の一方の面に占い情報が形成され、
前記カード本体は、長手方向が上下方向になっており、
前記占い情報は、占いの内容を表示する絵柄と、当該絵柄の正の意味を表す正表示部と、当該絵柄の逆の意味を表す逆表示部とからなり、
前記絵柄は、前記カード本体の略中央に表示され、
前記正表示部は、前記絵柄の下部に位置しており、正の意味を表す文字情報が左横書きで表示され、
前記逆表示部は、前記絵柄の上部に位置しており、逆の意味を表す文字情報が逆さまに右横書きで表示されていることを特徴とするタロットカード。
【請求項２】
前記正表示部と前記逆表示部は、色分けされていることを特徴とする請求項１記載のタロットカード。
【請求項３】
前記正表示部は、有色背景とこの有色背景の背景色と異なる色の色文字で表示され、前記逆表示部は、前記正表示部の有色背景の背景色と異なる色の有色背景とこの有色背景の背景色と異なる色の色文字で表示されていることを特徴とする請求項１記載のタロットカード。
【請求項４】
前記正表示部は、白色背景と黒色文字で表示され、前記逆表示部は、黒色背景と白色文字で表示されていることを特徴とする請求項１記載のタロットカード。
【請求項５】
前記絵柄は、前記正表示部に対応する第１の絵柄と前記逆表示部に対応する第２の絵柄とからなり、前記第１の絵柄と前記第２の絵柄が上下対称に配置されていることを特徴とする請求項１乃至４のいずれか１項に記載のタロットカード。
【請求項６】
前記絵柄の右側には、第１の表示部が表示され、
前記第１の表示部は、前記絵柄の種類を表す文字情報が上から下に縦書きで表示されていることを特徴とする請求項１乃至５のいずれか１項に記載のタロットカード。
【請求項７】
前記絵柄の左側には、第２の表示部が表示され、
前記第２の表示部は、前記絵柄の種類を表す文字情報が下から上に横書きで表示されていることを特徴とする請求項６記載のタロットカード。
【請求項８】
前記絵柄の左側には、第２の表示部が表示され、
前記第２の表示部は、前記絵柄の種類を表す文字情報が逆さまにして下から上に縦書きで表示されていることを特徴とする請求項６記載のタロットカード。
【請求項９】
前記第１の表示部と前記第２の表示部は、色分けされていることを特徴とする請求項７又は８記載のタロットカード。
【請求項１０】
請求項１乃至９のいずれか１項に記載のタロットカードを置くタロットカード用シートであって、シート本体の所定箇所に前記タロットカードを置く位置を示す載置スペースが表示され、各載置スペースの近傍に、その位置の意味とタロットカードを配置する順番が記載された位置情報表示部が表示されていることを特徴とするタロットカード用シート。
【請求項１１】
前記位置情報表示部は、有色背景とこの有色背景の背景色と異なる色の色文字で表示されていることを特徴とする請求項１０記載のタロットカード用シート。
【請求項１２】
前記タロットカードを置くシート本体の所定箇所は７箇所であって、前記載置スペースは、前記シート本体の略真ん中の１箇所と、その１箇所を囲んで環状に配置された６箇所とからなることを特徴とする請求項１０又は１１記載のタロットカード用シート。
【考案の詳細な説明】
【技術分野】
【０００１】
本考案は、占い内容を表示する絵柄と絵柄の意味の説明が記載されたタロットカード及びタロットカードを載せて占いを行うタロットカード用シートに関する。
【背景技術】
【０００２】
従来のタロットカードは、矩形状に形成されたカード本体の一方の面に共通の模様が印刷され、他方の面に占い情報が形成されている。カード本体は、長手方向が上下方向になっており、一方の面に印刷されたカード共通の模様は、上下方向をひっくり返しても同じとなるように形成されている。他方の面に形成された占い情報は、カード本体の略中央に占いの内容を表示する絵柄が上下方向に向かって形成され、絵柄の右上部に絵柄の正の意味を表す正文字情報（正表示部）が上から下に縦書き表示され、絵柄の左下部に絵柄の逆の意味を表す逆文字情報（逆表示部）が逆さまにして下から上に縦書き表示されている。従って、タロットカードは、カード本体の上下をひっくり返すことによって、逆の意味を持つカードになる（例えば、特許文献１）。
【０００３】
また、タロットカードは、大アルカナカードと小アルカナカードの２種類があり、大アルカナカードが２２枚と小アルカナカードが５６枚の計７８枚の構成となっている。タロットカードには、全カード７８枚を使用してゲームを行う他、占いに利用される。占いは、いわゆるタロット占いと呼ばれ、大アルカナカード２２枚だけを使う方法と、全カード７８枚を使う方法がある。
【０００４】
タロット占いは、使用するタロットカードを、占い情報面をテーブル面側に伏せてテーブルに広げ、両手でタロットカードの向きがバラバラになるようにかき混ぜ（シャッフル）、その中からタロットカードを７枚選んで所定位置の７箇所に順番に配置して展開する。タロット占いは、タロットカードを配置する順番が決まっており、またそれぞれタロットカードを展開した位置にも意味がある。占う者は、順番にタロットカードを捲っていき、捲ったタロットカードの位置の意味と捲ったタロットカードの占い情報の両方を読み取って占いを行う。タロットカードは、絵柄の正向き、絵柄の逆向きのどちらでも、カード本体の右上部の文字情報を読み取る。絵柄が正向きの時には、正の意味を表す正文字情報となっており、絵柄が逆向きの時には、逆の意味を表す逆文字情報となっている。
【先行技術文献】
【特許文献】
【０００５】
【特許文献１】実用新案登録第３１８０８２６号公報
【考案の概要】
【考案が解決しようとする課題】
【０００６】
従来のタロットカードは、上記したように、占いに使用され、絵柄の右上部の文字情報を読み取って占いを行うが、絵柄の右上部の位置は、読み取り難いという問題点があった。また、文字情報が縦書きであるため、日本語等の縦書き文化圏の国では採用できるが、英語、中国語、韓国語等の横書き文化圏の国では採用し難いという問題点があった。さらに、正の意味を表す正表示部と逆の意味を表す逆表示部は、同一色で表示されているので、一目で見分けることができないという問題点があった。
【０００７】
また、タロット占いは、タロットカードを展開する位置と、タロットカードを展開した位置の意味と、タロットカードを配置する順番が熟練者しかわからないで、一般人、特に初心者にとって、行うことのできない難しい占いでしかなかった。まして、恋愛や、仕事や、金運等の占う内容によっては、展開したタロットカードの位置が同じ位置でも、意味が異なってくるので、益々困難な占いであり、一般人にはタロット占いが困難であるという問題点があった。
【０００８】
本願考案は、上記問題点に鑑み案出したものであって、絵柄の正の意味を表す正表示部と絵柄の逆の意味を表す逆表示部を見やすい位置に配置して読み取り易く、表示部の文字情報を横書きにして、英語、中国語、韓国語等の横書き文化圏の国でも採用し易くしたタロットカードを提供することを第１の目的とする。また、正表示部と逆表示部を色分けすることにより、正表示部と逆表示部を一目で見分けることができるタロットカードを提供することを第２の目的とする。さらに、絵柄を正表示部に対応する第１の絵柄と逆表示部に対応する第２の絵柄とで形成し、カード本体の上下をひっくり返すことにより絵柄が変化するタロットカードを提供することを第３の目的とする。さらにまた、絵柄の右側に、絵柄の種類を表す文字情報を形成した第１の表示部を設け、カード本体の種類を特定し易くしたタロットカードを提供することを第４の目的とする。さらにまた、絵柄の左側にも、絵柄の種類を表す文字情報を形成した第２の表示部を設け、カード本体の種類を特定し易くしたタロットカードを提供することを第５の目的とする。また、第１の表示部と第２の表示部を色分けすることにより、第１の表示部と第２の表示部を一目で見分けることができるタロットカードを提供することを第６の目的とする。さらに、タロットカードの展開する位置と、その位置の意味と、タロットカードを配置する順番を表示することによって、初心者でもタロット占いを行うことができるタロットカード用シートを提供することを第７の目的とする。
【課題を解決するための手段】
【０００９】
本願請求項１に係るタロットカードは、上記第１の目的を達成するため、矩形状に形成したカード本体の一方の面に占い情報が形成され、前記カード本体は、長手方向が上下方向になっており、前記占い情報は、占いの内容を表示する絵柄と、当該絵柄の正の意味を表す正表示部と、当該絵柄の逆の意味を表す逆表示部とからなり、前記絵柄は、前記カード本体の略中央に表示され、前記正表示部は、前記絵柄の下部に位置しており、正の意味を表す文字情報が左横書きで表示され、前記逆表示部は、前記絵柄の上部に位置しており、逆の意味を表す文字情報が逆さまに右横書きで表示されていることを特徴とする。
【００１０】
本願請求項２に係るタロットカードは、上記第２の目的を達成するため、前記正表示部と前記逆表示部は、色分けされていることを特徴とする。
【００１１】
本願請求項３に係るタロットカードは、上記第２の目的を達成するため、前記正表示部は、有色背景とこの有色背景の背景色と異なる色の色文字で表示され、前記逆表示部は、前記正表示部の有色背景の背景色と異なる色の有色背景とこの有色背景の背景色と異なる色の色文字で表示されていることを特徴とする。
【００１２】
本願請求項４に係るタロットカードは、上記第２の目的を達成するため、前記正表示部は、白色背景と黒色文字で表示され、前記逆表示部は、黒色背景と白色文字で表示されていることを特徴とする。
【００１３】
本願請求項５に係るタロットカードは、上記第３の目的を達成するため、前記絵柄は、前記正表示部に対応する第１の絵柄と前記逆表示部に対応する第２の絵柄とからなり、前記第１の絵柄と前記第２の絵柄が上下対称に配置されていることを特徴とする。
【００１４】
本願請求項６に係るタロットカードは、上記第４の目的を達成するため、前記絵柄の右側には、第１の表示部が表示され、前記第１の表示部は、前記絵柄の種類を表す文字情報が上から下に縦書きで表示されていることを特徴とする。
【００１５】
本願請求項７に係るタロットカードは、上記第５の目的を達成するため、前記絵柄の左側には、第２の表示部が表示され、前記第２の表示部は、前記絵柄の種類を表す文字情報が下から上に横書きで表示されていることを特徴とする。
【００１６】
本願請求項８に係るタロットカードは、上記第５の目的を達成するため、前記絵柄の左側には、第２の表示部が表示され、前記第２の表示部は、前記絵柄の種類を表す文字情報が逆さまにして下から上に縦書きで表示されていることを特徴とする。
【００１７】
本願請求項９に係るタロットカードは、上記第６の目的を達成するため、前記第１の表示部と前記第２の表示部は、色分けされていることを特徴とする。
【００１８】
本願請求項１０に係るタロットカード用シートは、上記第７の目的を達成するため、前記タロットカードを置くタロットカード用シートであって、シート本体の所定箇所に前記タロットカードを置く位置を示す載置スペースが表示され、各載置スペースの近傍に、その位置の意味とタロットカードを配置する順番が記載された位置情報表示部が表示されていることを特徴とする。
【００１９】
本願請求項１１に係るタロットカード用シートは、上記第７の目的を達成するため、前記位置情報表示部は、有色背景とこの有色背景の背景色と異なる色の色文字で表示されていることを特徴とする。
【００２０】
本願請求項１２に係るタロットカード用シートは、上記第７の目的を達成するため、前記タロットカードを置くシート本体の所定箇所は７箇所であって、前記載置スペースは、前記シート本体の略真ん中の１箇所と、その１箇所を囲んで環状に配置された６箇所とからなることを特徴とする。
【考案の効果】
【００２１】
本願考案に係るタロットカードは、矩形状に形成したカード本体の一方の面に占い情報が形成され、前記カード本体は、長手方向が上下方向になっており、前記占い情報は、占いの内容を表示する絵柄と、当該絵柄の正の意味を表す正表示部と、当該絵柄の逆の意味を表す逆表示部とからなり、前記絵柄は、前記カード本体の略中央に表示され、前記正表示部は、前記絵柄の下部に位置しており、正の意味を表す文字情報が左横書きで表示され、前記逆表示部は、前記絵柄の上部に位置しており、逆の意味を表す文字情報が逆さまに右横書きで表示されている。
【００２２】
このように、本願考案に係るタロットカードは、占いの内容を表示する絵柄の下部に、当該絵柄の正の意味を表す文字情報が左横書きで表示された正表示部が設けられ、当該絵柄の上部に、当該絵柄の逆の意味を表す文字情報が逆さまに右横書きで表示された逆表示部が設けられているので、カード本体を上下ひっくり返しても、絵柄の意味を表す正表示部と逆表示部が常に絵柄の下側に位置し、見易い構成となっているという効果がある。特にタロット占いは、占う者の手前にタロットカードを並べて占うものであり、タロットカードを捲って占い情報を読み取る場合、絵柄の下部に表示部が位置するので、本願考案に係るタロットカードは、占う者にとって、とても読み取り易いという効果がある。さらに、本願考案に係るタロットカードは、正表示部と逆表示部の文字情報を横書きにしているので、英語、中国語、韓国語等の横書き文化圏の国でも採用し易いという効果がある。
【００２３】
本願考案に係るタロットカードは、前記正表示部と前記逆表示部が、色分けされているので、上記効果に加え、正表示部と逆表示部を一目で見分けることができるという効果がある。さらに、本願考案に係るタロットカードは、前記正表示部が、有色背景とこの有色背景の背景色と異なる色の色文字で表示され、前記逆表示部が、前記正表示部の有色背景の背景色と異なる色の有色背景とこの有色背景の背景色と異なる色の色文字で表示されていると、明確に見分けることができる。さらにまた、本願考案に係るタロットカードは、前記正表示部が白色背景と黒色文字で表示され、前記逆表示部が黒色背景と白色文字で表示されていると、より一層明確に見分けることができるという効果がある。
【００２４】
本願考案に係るタロットカードは、前記絵柄が前記正表示部に対応する第１の絵柄と前記逆表示部に対応する第２の絵柄とからなり、前記第１の絵柄と前記第２の絵柄が上下対称に配置されていると、上記効果に加え、カード本体の上下をひっくり返すことにより絵柄が真逆に変化するようになり、看者に面白みを与えることができるという効果がある。
【００２５】
本願考案に係るタロットカードは、前記絵柄の右側に第１の表示部が表示され、前記第１の表示部は、前記絵柄の種類を表す文字情報が上から下に縦書きで表示されていると、上記効果に加え、カード本体の種類を特定し易いという効果がある。
【００２６】
本願考案に係るタロットカードは、前記絵柄の左側に第２の表示部が表示され、前記第２の表示部は、前記絵柄の種類を表す文字情報が下から上に横書きで表示されていると、上記効果と同様に、カード本体の種類を特定し易いという効果がある。
【００２７】
本願考案に係るタロットカードは、前記絵柄の左側に第２の表示部が表示され、前記第２の表示部は、前記絵柄の種類を表す文字情報が逆さまにして下から上に縦書きで表示されていると、カード本体を上下ひっくり返しても、第１の表示部又は第２の表示部が絵柄の右側に位置し、見易い構成となっており、カード本体の種類を一層特定し易いという効果がある。
【００２８】
本願考案に係るタロットカードは、前記第１の表示部と前記第２の表示部が色分けされていると、上記効果に加え、第１の表示部と第２の表示部を一目で見分けることができるという効果がある。
【００２９】
本願考案に係るタロットカード用シートは、上記効果を有するタロットカードを置くものであって、シート本体の所定箇所に前記タロットカードを置く位置を示す載置スペースが表示され、各載置スペースの近傍に、その位置の意味とタロットカードを配置する順番が記載された位置情報表示部が表示されている。本願考案に係るタロットカード用シートは、タロットカードの展開する位置と、その位置の意味と、タロットカードを配置する順番が表示されているので、初心者でも簡単にタロット占いを行うことができるという効果がある。
【００３０】
本願考案に係るタロットカード用シートは、前記位置情報表示部が、有色背景とこの有色背景の背景色と異なる色の色文字で表示されているので、上記効果に加え、読み取り易いという効果がある。本願考案に係るタロットカード用シートは、前記タロットカードを置くシート本体の所定箇所は７箇所であって、前記載置スペースは、前記シート本体の略真ん中の１箇所と、その１箇所を囲んで環状に配置された６箇所とからなるので、シート本体全体にタロットカードを配置することができ、占う者と占われる者の両者にタロットカードが見易いように配置にすることができるという効果がある。
【図面の簡単な説明】
【００３１】
【図１】本願考案に係るタロットカードの大アルカナカードの一つの実施の形態を示す図であり、（ａ）が正の位置の図、（ｂ）が逆の位置の図である。
【図２】本願考案に係るタロットカードの小アルカナカードの一つの実施の形態を示す図であり、（ａ）が正の位置の図、（ｂ）が逆の位置の図である。
【図３】本願考案に係るタロットカードの大アルカナカードの１から８の種類を示す説明図である。
【図４】本願考案に係るタロットカードの大アルカナカードの９から１６の種類を示す説明図である。
【図５】本願考案に係るタロットカードの大アルカナカードの１７から２１及び０の種類を示す説明図である。
【図６】本願考案に係るタロットカードの小アルカナカードのクラブを示す説明図である。
【図７】本願考案に係るタロットカードの小アルカナカードのスペードを示す説明図である。
【図８】本願考案に係るタロットカードの小アルカナカードのダイヤを示す説明図である。
【図９】本願考案に係るタロットカードの小アルカナカードのハートを示す説明図である。
【図１０】本願考案に係るタロットカード用シートの一つの実施の形態を示す正面図である。
【図１１】図１０のタロットカード用シートの使用方法について説明する正面図である。
【考案を実施するための形態】
【００３２】
タロットカード１は、図１に示すように、矩形状に形成したカード本体２の一方の面に占い情報３が形成されている。前記カード本体２は、長手方向が上下方向になっている。前記占い情報３は、占いの内容を表示する絵柄５と、当該絵柄５の正の意味を表す正表示部６と、当該絵柄５の逆の意味を表す逆表示部７とからなる。前記絵柄５は、前記カード本体２の略中央に表示されている。前記正表示部６は、前記絵柄５の下部に位置しており、正の意味を表す文字情報６ｂが左横書きで表示されている。前記逆表示部７は、前記絵柄５の上部に位置しており、逆の意味を表す文字情報７ｂが逆さまに右横書きで表示されている。
【００３３】
このように、タロットカード１は、占いの内容を表示する絵柄５の下部に、当該絵柄５の正の意味を表す文字情報６ｂが左横書きで表示された正表示部６が設けられ、当該絵柄５の上部に、当該絵柄５の逆の意味を表す文字情報７ｂが逆さまに右横書きで表示された逆表示部７が設けられているので、カード本体２を上下ひっくり返しても、絵柄５の意味を表す正表示部６又は逆表示部７が常に絵柄５の下側に位置し、見易い構成となっている。特にタロット占いは、占う者の手前にタロットカード１を並べて占うものであり、タロットカード１を捲って占い情報を読み取る場合、絵柄５の下部に表示部６又は７が位置するので、タロットカード１は、占う者にとって、とても読み取り易い。さらに、タロットカード１は、正表示部６と逆表示部７の文字情報を横書きにしているので、英語、中国語、韓国語等の横書き文化圏の国でも採用し易い。
【００３４】
タロットカード１は、前記正表示部６と前記逆表示部７が、色分けされているので、正表示部６と逆表示部７を一目で見分けることができる。さらに、タロットカード１は、前記正表示部６が、有色背景６ａとこの有色背景６ａの背景色と異なる色の色文字６ｂで表示され、前記逆表示部７が、前記正表示部６の有色背景６ａの背景色と異なる色の有色背景７ａとこの有色背景７ａの背景色と異なる色の色文字７ｂで表示されていると、明確に見分けることができる。さらにまた、タロットカード１は、前記正表示部６が白色背景６ａと黒色文字６ｂで表示され、前記逆表示部７が黒色背景７ａと白色文字７ｂで表示されていると、より一層明確に見分けることができる。
【００３５】
タロットカード１１は、図２に示すように、前記絵柄１５が前記正表示部１６に対応する第１の絵柄１５ａと前記逆表示部１７に対応する第２の絵柄１５ｂとからなり、前記第１の絵柄１５ａと前記第２の絵柄１５ｂが上下対称に配置されている。タロットカード１１は、カード本体１２の上下をひっくり返すことにより絵柄１５が真逆に変化するようになり、看者に面白みを与えることができる。
【００３６】
タロットカード１，１１は、前記絵柄５，１５の右側に第１の表示部８，１８が表示されている。前記第１の表示部８，１８は、前記絵柄５，１５の種類を表す文字情報が上から下に縦書きで表示されていると、カード本体２，１２の種類を特定し易い。タロットカード１，１１は、前記絵柄５，１５の左側に第２の表示部９，１９が表示されている。前記第２の表示部９，１９は、前記絵柄５，１５の種類を表す文字情報が下から上に横書きで表示されていると、カード本体２，１２の種類を特定し易い。
【００３７】
タロットカード１，１１は、前記絵柄５，１５の左側に第２の表示部９，１９が表示されている。前記第２の表示部９，１９は、前記絵柄５，１５の種類を表す文字情報が逆さまにして下から上に縦書きで表示されても良い。タロットカード１，１１は、カード本体２，１２を上下ひっくり返しても、第１の表示部８，１８又は第２の表示部９，１９が絵柄５，１５の右側に位置し、見易い構成となっており、カード本体２，１２の種類を一層特定し易い。タロットカード１，１１は、前記第１の表示部８，１８と前記第２の表示部９，１９が色分けされていると、第１の表示部８，１８と第２の表示部９，１９を一目で見分けることができる。
【００３８】
タロットカード用シート２１は、図１０に示すように、上記タロットカード１，１１を置くものであって、シート本体２２の所定箇所に前記タロットカード１，１１を置く位置を示す載置スペース２３〜２９が表示されている。各載置スペース２３〜２９の近傍には、その位置の意味とタロットカード１，１１を配置する順番が記載された位置情報表示部３３〜３９が表示されている。タロットカード用シート２１は、タロットカード１，１１の展開する位置と、その位置の意味と、タロットカード１，１１を配置する順番が表示されているので、初心者でも簡単にタロット占いを行うことができる。
【００３９】
タロットカード用シート２１は、前記位置情報表示部３３〜３９が、有色背景とこの有色背景の背景色と異なる色の色文字で表示されているので、読み取り易い。タロットカード用シート２１は、前記タロットカード１，１１を置くシート本体２２の所定箇所は７箇所であって、前記載置スペース２３〜２９は、前記シート本体２２の略真ん中の１箇所と、その１箇所を囲んで環状に配置された６箇所とからなるので、シート本体２２全体にタロットカード１，１１を配置することができ、占う者と占われる者の両者にタロットカード１，１１が見易いように配置にすることができる。
【００４０】
以下、タロットカードの実施の形態を図１乃至図９に基づいて詳細に説明する。タロットカードは、大アルカナカード１と小アルカナカード１１の２種類がある。第３図乃至第５図に示すように、大アルカナカード１は、２２枚構成となっている。また、第６図乃至第９図に示すように、小アルカナカード１１は、５６枚構成となっている。従って、タロットカードは、計７８枚の構成となっている。
【００４１】
図１（ａ）に示すように、タロットカード１のカード本体２は、紙、合成樹脂板等の薄いシートで矩形状（長方形状）に形成され、表面にカード共通の模様が印刷形成され、裏面（一方の面）に占い情報が印刷形成されている。カード本体２は、長手方向が上下方向となっており、表面に印刷形成された模様は、上下方向をひっくり返しても同じとなるように形成されている。
【００４２】
カード本体２の裏面に印刷形成された占い情報３は、カード本体２の長手方向が上下方向になっており、そのカードの占いの内容を表示する絵柄５と、表示された絵柄５の正の意味を表す正表示部６と、表示された絵柄５の逆の意味を表す逆表示部７と、表示された絵柄５の種類を表す第１の表示部８及び第２の表示部９と有する。
【００４３】
絵柄５は、カード本体２の略中央に印刷形成（表示）されている。当該絵柄５は、大アルカナカードの「女教皇」を表している。正表示部６は、絵柄５の下部に印刷形成（表示）されている。正表示部６は、表示された絵柄５の正の意味を表す文字情報６ｂが左から右に横書きされて形成（表示）されている。正表示部６は、白色背景６ａと黒色文字６ｂで形成され、正の意味となる「知性・聡明・平常心・洞察力・優しさ・清純」の黒色文字６ｂが左から右に横書きされて形成（表示）されている。
【００４４】
逆表示部７は、絵柄５の上部に印刷形成（表示）されている。逆表示部７は、表示された絵柄５の逆の意味を表す文字情報７ｂが逆さまにして右から左に横書きされて形成（表示）されている。逆表示部７は、黒色背景７ａと白色文字７ｂで形成され、逆の意味となる「無理解・秘密・非常・わがまま・神経質」の白色文字７ｂが逆さまにして右から左に横書きされて形成（表示）されている。タロットカード１は、正表示部６と逆表示部７が色分けされているので、正表示部６と逆表示部７を一目で見分けることができる。
【００４５】
色分けは、上記に限らず、正表示部６は、白色背景６ａと有色文字６ｂで形成し、逆表示部７は、白色背景７ａと正表示部６の有色文字６ｂと異なる色の有色文字７ｂで形成しても良い。又、正表示部６は、有色背景６ａと背景色と異なる有色文字６ｂで形成し、逆表示部７は、正表示部６の有色背景６ａと異なる色の有色背景７ａと背景色と異なる有色文字７ｂで形成しても良い。
【００４６】
第１の表示部８は、絵柄５の右側に印刷形成（表示）されている。第１の表示部８は、表示された絵柄５の種類を表す文字情報８ｂが上から下に縦書きされて形成（表示）されている。第１の表示部８は、有色背景８ａと背景色と異なる色文字８ｂで形成され、絵柄５の種類を表す「女教皇」の日本語文字が上から下に縦書きされて形成（表示）されている。
【００４７】
第２の表示部９は、絵柄５の左側に印刷形成（表示）されている。第２の表示部９は、表示された絵柄５の種類を表す文字情報９ｂが下から上に横書きされて形成（表示）されている。第２の表示部９は、有色背景９ａと背景色と異なる色文字９ｂで形成され、絵柄５の種類を表す「女教皇」の英語文字「ＴＨＥ  ＨＩＧＨ  ＰＲＩＥＳＴＥＳＳ」が下から上に横書きされて形成（表示）されている。なお、絵柄５の左側に印刷形成（表示）された第２の表示部９は、第１の表示部８と同様の絵柄５の種類を表す文字情報８ｂを逆さまにして下から上に縦書きされて形成（表示）されても良い。このように、タロットカード１は、第１の表示部８及び第２の表示部９によって、カード本体２の種類が特定し易くなっている。
【００４８】
図１（ｂ）に示すように、タロットカード１は、カード本体２を上下ひっくり返すと、絵柄５の逆の意味を表す逆表示部７が絵柄５の下側に位置し、逆さまになっていた文字情報７ｂが正常な状態になるので、読み取り易くなっている。また、同様に、カード本体２を上下ひっくり返すと、第２の表示部９が絵柄５の右側に位置し、見易くなっており、カード本体２の種類が特定し易い。タロット占いは、タロットカード１をシャッフルし、所定位置に順番に配置していくので、カード本体２の上下方向の向きが分からないが、タロットカード１は、上下の向きがどちらでも読み取り易いので、タロット占いを容易に行うことができる。
【００４９】
図２（ａ）に示すように、タロットカード１１のカード本体１２は、タロットカード１と同様に、紙、合成樹脂板等の薄いシートで矩形状（長方形状）に形成され、表面にカード共通の模様が印刷形成され、裏面（一方の面）に占い情報１３が印刷形成されている。カード本体１２は、長手方向が上下方向となっており、表面に印刷形成された模様は、上下方向をひっくり返しても同じとなるように形成されている。
【００５０】
カード本体１２の裏面に印刷形成された占い情報１３は、カード本体１２の長手方向が上下方向になっており、そのカードの占いの内容を表示する絵柄１５と、表示された絵柄１５の正の意味を表す正表示部１６と、表示された絵柄１５の逆の意味を表す逆表示部１７と、表示された絵柄１５の種類を表す第１の表示部１８及び第２の表示部１９と有する。
【００５１】
絵柄１５は、カード本体１２の略中央に印刷形成（表示）されている。絵柄１５は、正表示部１６に対応する第１の絵柄１５ａと逆表示部１７に対応する第２の絵柄１５ｂとからなる。第１の絵柄１５ａと第２の絵柄１５ｂは上下対称に配置されている。当該絵柄１５は、小アルカナカードの「ハートの女王」を表している。
【００５２】
正表示部１６は、絵柄１５の下部に印刷形成（表示）され、第１の絵柄１５ａと対応している。正表示部１６は、表示された第１の絵柄１５ａの意味を表す文字情報１６ｂを左から右に横書きされて形成（表示）されている。正表示部１６は、白色背景１６ａと黒色文字１６ｂで形成（表示）され、正の意味となる「繊細・受動的・母性・ロマンチストな女性」の文字が左から右に横書きされて形成（表示）されている。
【００５３】
逆表示部１７は、絵柄１５の上部に印刷形成（表示）され、第２の絵柄１５ｂと対応している。逆表示部１７は、表示された第２の絵柄１５ｂの意味を表す文字情報１７ｂを逆さまにして右から左に横書きされて形成（表示）されている。第２の絵柄１５ｂは、第１の絵柄１５ａの逆の意味を表している。逆表示部１７は、黒色背景１７ａと白色文字１７ｂで形成（表示）され、逆の意味となる「気に病む・自虐的・被害妄想・自己憐憫」の文字が逆さまにして右から左に横書きされて形成（表示）されている。タロットカード１１は、正表示部１６と逆表示部１７が色分けされているので、正表示部１６と逆表示部１７を一目で見分けることができる。
【００５４】
第１の絵柄１５ａは、「ハートの女王」が目を開けている表情を有する頭部が描かれている。第２の絵柄１５ｂは、「ハートの女王」が目を閉じている表情を有する頭部が描かれている。第１の絵柄１５ａは正表示部１６と同じ向きとなり、第２の絵柄１５ｂは、第１の絵柄１５ａと逆向きとなって逆表示部１７と同じ向きなっている。この第１の絵柄１５ａと第２の絵柄１５ｂが、上下方向に対称に配置されている。
【００５５】
タロットカード１１は、カード本体１２が正の位置だと、図２（ａ）に示すように、第１の絵柄１５ａが第２の絵柄１５ｂの上の位置で顔の向きが上下正しい位置になっており、絵柄１５の下部に正表示部１６の黒色文字１６ｂが正しい位置で表示されており、第２の絵柄１５ｂが第１の絵柄１５ａの下の位置で顔の向きが上下逆の位置になっており、絵柄１５の上部に逆表示部１７の白色文字１７ｂが逆の位置で表示されている。
【００５６】
第１の表示部１８は、絵柄１５の右側に印刷形成（表示）され、第１の表示部８と同様に形成（表示）されている。第１の表示部１８は、有色背景１８ａと背景色と異なる色文字１８ｂで形成され、絵柄１５の種類を表す「ハートの女王」の日本語文字が上から下に縦書きされて形成（表示）されている。
【００５７】
第２の表示部１９は、絵柄１５の左側に印刷形成（表示）され、第２の表示部９と同様に形成（表示）されている。第２の表示部１９は、有色背景１９ａと背景色と異なる色文字１９ｂで形成され、絵柄１５の種類を表す「ＱＵＥＥＮ  ＯＦ  ＨＥＡＲＴＳ」の英語文字が下から上に横書きされて形成（表示）されている。
【００５８】
図２（ｂ）に示すように、カード本体１２の上下をひっくり返すことにより、タロットカード１１は、カード本体１２が逆の位置となり、第２の絵柄１５ｂが第１の絵柄１５ａの上の位置で顔の向きが上下正しい位置になっており、絵柄１５の下部に逆表示部１７の白色文字１７ｂが正しい位置で表示されており、第１の絵柄１５ａが第２の絵柄１５ｂの下の位置で顔の向きが上下逆の位置になっており、絵柄１５の上部に正表示部１６の黒色文字１６ｂが逆さまに表示されている。このように、タロットカード１１は、カード本体１２の上下をひっくり返すことにより、絵柄１５が真逆に変化するようになり、看者に面白みを与えることができる。
【００５９】
タロットカード１１は、カード本体１２を上下ひっくり返すと、絵柄１５の逆の意味を表す逆表示部１７が絵柄１５の下側に位置し、逆さまになっていた文字情報１７ｂが正常な状態になるので、読み取り易くなっている。また、同様に、カード本体１２を上下ひっくり返すと、第２の表示部１９が絵柄１５の右側に位置し、見易くなっており、カード本体１２の種類が特定し易い。タロット占いは、タロットカード１１をシャッフルし、所定位置に順番に配置していくので、カード本体１２の上下方向の向きが分からないが、タロットカード１１は、上下の向きがどちらでも読み取り易いので、タロット占いを容易に行うことができる。
【００６０】
図１０に示すように、タロットカード用シート２１は、上記タロットカード１を置くものであって、シート本体２２が紙、合成樹脂板、布等の薄いシートで矩形状（長方形状）に形成されている。シート本体２２の一方の面の所定箇所には、前記タロットカード１を置く位置を示す載置スペース２３〜２９が印刷形成（表示）されている。各載置スペース２３〜２９の近傍には、その位置の意味とタロットカード１を配置する順番が記載された位置情報表示部３３〜３９が印刷形成されている。
【００６１】
タロットカード用シート２１は、前記タロットカード１を置く位置を示す載置スペース２３〜２９がシート本体２２の所定７箇所に形成（表示）されている。所定７箇所は、シート本体２２の略真ん中の１箇所２９と、その１箇所２９を囲んで環状に配置された６箇所２３〜２８である。環状の最上部に位置する載置スペース２３は、下部近傍に位置情報表示部３３が印刷形成（表示）されている。位置情報表示部３３には、タロットカード１を置く順番「１」と、その位置の意味「過去」が有色背景に白色文字で形成されている。環状の右下部に位置する載置スペース２４は、下部近傍に位置情報表示部３４が印刷形成（表示）されている。位置情報表示部３４には、タロットカード１を置く順番「２」と、その位置の意味「現在」が有色背景に白色文字で形成されている。
【００６２】
環状の左下部に位置する載置スペース２５は、下部近傍に位置情報表示部３５が印刷形成（表示）されている。位置情報表示部３５には、タロットカード１を置く順番「３」と、その位置の意味「未来」が有色背景に白色文字で形成されている。環状の最下部に位置する載置スペース２６は、上部近傍に位置情報表示部３６が印刷形成（表示）されている。位置情報表示部３６には、タロットカード１を置く順番「４」と、その位置の意味「キーワード」が有色背景に白色文字で形成されている。
【００６３】
環状の左上部に位置する載置スペース２７は、下部近傍に位置情報表示部３７が印刷形成（表示）されている。位置情報表示部３７には、タロットカード１を置く順番「５」と、その位置の意味「願望」が有色背景に白色文字で形成されている。環状の右上部に位置する載置スペース２８は、下部近傍に位置情報表示部３８が印刷形成（表示）されている。位置情報表示部３８には、タロットカード１を置く順番「６」と、その位置の意味「行動」が有色背景に白色文字で形成されている。環状の真ん中に位置する載置スペース２９は、上部近傍に位置情報表示部３９が印刷形成（表示）されている。位置情報表示部３９には、タロットカード１を置く順番「７」と、その位置の意味「最終結果」が有色背景に白色文字で形成されている。
【００６４】
タロット占いは、大アルカナカードのタロットカード１を２２枚使用して行う。タロットカード用シート２１上に、占い情報面３を伏せて広げ、両手でタロットカード１の向きがバラバラになるようにかき混ぜる（シャッフル）。その中からタロットカード１を７枚選んで、図１１に示すように、シート本体２２の位置情報表示部３３〜３９に記載された順番通りに載置スペース２３〜２９に配置していく。次に、タロットカード１を捲って占い情報面３を上向きにする。
【００６５】
タロットカード１が置いてあるシート本体２２の位置情報表示部３３〜３９の情報と、カード本体２の絵柄５の下側の情報６ｂ又は７ｂを読み取って占いを行うことができる。図１１に示す占いは、過去において、「知恵・強固な意思・勇気・リーダーシップ」を備えていたが、現在は、「邪心・欲望・嫉妬・裏切り・束縛・堕落」しており、未来は、「不安定・自信喪失・悪影響・スランプ」に陥る可能性がある。今のキーワードは、「挫折・執着・後悔・悪い知らせ・悔恨」であり、願望として「変化・出会い・転換点・定められた運命・解決」があるが、行動すると「落胆・難航・好戦的・曖昧・損失・不調」となる。しかし、最終結果は、「知性・聡明・平常心・洞察力・優しさ・清純」で乗り切れる。
【産業上の利用可能性】
【００６６】
本願考案は、占い内容を表示する絵柄と絵柄の意味の説明が記載されたタロットカード及びタロットカードを載せて占いを行うタロットカード用シートからなるタロット占いセットに利用可能である。
【符号の説明】
【００６７】
１  タロットカード（大アルカナカード）
２  カード本体
３  占い情報
５  絵柄
６  正表示部
６ａ  白色背景（有色背景  背景色）
６ｂ  黒色文字（有色文字  文字情報）
７  逆表示部
７ａ  黒色背景（白色背景  有色背景  背景色）
７ｂ  白色文字（有色文字  文字情報）
８  第１の表示部
８ａ  有色背景
８ｂ  色文字（文字情報）
９  第２の表示部
９ａ  有色背景
９ｂ  色文字（文字情報）
１１  タロットカード（小アルカナカード）
１２  カード本体
１３  占い情報
１５  絵柄
１５ａ  第１の絵柄
１５ｂ  第２の絵柄
１６  正表示部
１６ａ  白色背景
１６ｂ  黒色文字（文字情報）
１７  逆表示部
１７ａ  黒色背景
１７ｂ  白色文字（文字情報）
１８  第１の表示部
１８ａ  有色背景
１８ｂ  色文字
１９  第２の表示部
１９ａ  有色背景
１９ｂ  色文字
２１  タロットカード用シート
２２  シート本体
２３  載置スペース
２４  載置スペース
２５  載置スペース
２６  載置スペース
２７  載置スペース
２８  載置スペース
２９  載置スペース
３３  位置情報表示部
３４  位置情報表示部
３５  位置情報表示部
３６  位置情報表示部
３７  位置情報表示部
３８  位置情報表示部
３９  位置情報表示部
【図１】
0003195664.tif 000003
【図２】
0003195664.tif 000004
【図３】
0003195664.tif 000005
【図４】
0003195664.tif 000006
【図５】
0003195664.tif 000007
【図６】
0003195664.tif 000008
【図７】
0003195664.tif 000009
【図８】
0003195664.tif 000010
【図９】
0003195664.tif 000011
【図１０】
0003195664.tif 000012
【図１１】
0003195664.tif 000013